(57)【要約】【課題】  多数枚の衣服を損傷したりすることなく、高いスペース効率で収納することができる衣服ハンガー吊下装置を提供すること。【解決手段】  コンテナの筐体１１の内上部の架設バー１２に衣服ハンガー吊下装置２１が支持される。衣服ハンガー吊下装置２１のネット２２は、全体として二つ折り状になっていて、一対の垂下部２５が形成されている。一方の垂下部２５の上端部と、隣接する他の衣服ハンガー吊下装置２１の環状部２６との間には、離隔部材３１が介在されている。この離隔部材３１により、一方の垂下部２５が他方の垂下部２５から離隔される。衣服用ハンガーのフックを、衣服の幅や丈の長さに応じた適当な位置において垂下部２５に吊下する。このようにすれば、衣服を多数枚、整然と吊下することができる。【選択図】      図２
2006006486.tif 000002
【特許請求の範囲】
【請求項１】
複数の垂下部が形成されるように、架設バーに対して垂下可能な衣服ハンガー吊下用のネットと、
前記垂下部の上端部と、周辺の掛け止め部との間に介在されて、その垂下部を隣接する他の垂下部から離隔させる離隔部材と
を備えたことを特徴とする衣服ハンガー吊下装置。
【請求項２】
前記ネットは、前記架設バーに対して二つ折り状に垂下されて一対の垂下部が形成されることを特徴とする請求項１に記載の衣服ハンガー吊下装置。
【請求項３】
隣接する垂下部間に介在され、垂下部の揺動を抑制するための揺動抑制手段を設けたことを特徴とする請求項１または２に記載の衣服ハンガー吊下装置。
【発明の詳細な説明】
【技術分野】
【０００１】
この発明は、コンテナや倉庫の内部において使用される衣服ハンガー吊下装置に関するものである。
【背景技術】
【０００２】
一般に、大量の衣服をハンガーに掛けた状態で、搬送用コンテナよって搬送したり、倉庫内に保管したりする場合、搬送用コンテナや倉庫の内部に架設バーを設け、その架設バーに衣服を掛けた衣服用ハンガーが吊下されるようになっている。しかしながら、この方式においては、１本の架設バーに対して衣服ハンガーを架設バーに沿って１列分しか吊下できず、搬送用コンテナまたは倉庫に対する収納数を多くすることができない。このため、収納効率が悪く、これに対処するために架設バーの架設本数を増やすことが考えられるが、架設バーを上下方向に複数段に設けると、丈の長いコート等の吊下に支障を来す。また、架設バーを横方向に狭い間隔で高密度に設けると、左右幅の狭い子供服程度のものしか吊下できない。従って、架設バーの本数を増やすことには制約があり、コンテナや倉庫に対する衣服の収納数を増やすことは容易ではない。このことは、搬送や保管等の物流コストを直接押し上げ、たとえ人件費の低い地域で衣服を生産して、生産コストを低減したとしても、搬送や保管のコストがアップしてしまい、生産コスト低減分が相殺されてしまうおそれが多分にあった。
【０００３】
また、コンテナや倉庫内に衣服を隙間なく吊下できるようにするために、そのコンテナや倉庫内の天井から紐あるいはそれに類似するものを多数ぶら下げて、その紐等に衣服用ハンガーを吊下する葡萄棚方式も一部では試みられている。しかし、この場合には、揺れて位置の定まらない紐等に衣服用ハンガーを吊下したり、同ハンガーを外したりする際に、その作業が面倒で時間がかかるものであった。そして、吊下状態では、ハンガーや衣服が揺れ動いて整然と配列されないため、計数等の管理を行いにくい。特に、コンテナの場合は、搬送時の振動等によって、衣服が前記紐等とともに、大きく、かつ繰り返し揺れるため、たとえ衣服にカバーを被せたとしても、衣服が擦れ合って損傷し、衣服の商品価値が損なわれる問題が多発する。
【０００４】
以上のように、従来の手法では、多数枚の衣服を、取り扱いやすく、高い収納効率で、かつ損傷することなく収納して搬送や保管に供するのは難しい。
一方、前述した分野、すなわち、衣服用ハンガー等を吊下する分野に類似する技術として、特許文献１に記載されたものがある。
【特許文献１】特開平８−８４８９６号公報
【発明の開示】
【発明が解決しようとする課題】
【０００５】
前記特許文献１に記載された技術は、横方向に延びる紐や竿に網を二つ折り状に垂下させて、その網に衣服ハンガーや洗濯ばさみを掛けるようにしたものである。この特許文献１に記載された網は、上下方向及び幅方向に短いものであって、多数の衣服用ハンガーを吊下することなどできない。しかし、仮に網を上下方向及び幅方向に延長して、大きなものにしたとしても、一対の垂下部が重なるようにして近接しているため、両垂下部にそれぞれ衣服用ハンガーを反対側から吊下しようとしても、衣服用ハンガーのフックが両垂下部に掛かってしまう。このため、前記フックどうしが邪魔し合い、多数個吊下するのが難しい。また、多数個吊下できるにするために、衣服用ハンガーを両垂下部に対してそれぞれ同一方向から同一側の面に吊下するのが好ましいが、前述のように、両垂下部が近接しているため、一方の垂下部に吊下された衣服用ハンガー及び衣服は、両垂下部間に位置することになる。このため、衣服と垂下部とが擦れて、前述した場合と同様に、衣服が損傷するおそれがあった。
【０００６】
この発明は、以上のような問題を解消して、多数枚の衣服を損傷したりすることなく、高い収納効率で収納することができる衣服ハンガー吊下装置を提供することにある。
【課題を解決するための手段】
【０００７】
以上の目的を達成するために、請求項１に記載の発明においては、複数の垂下部が形成されるように、架設バーに対して垂下可能な衣服ハンガー吊下用のネットと、前記垂下部の上端部と、周辺の掛け止め部との間に介在されて、その垂下部を隣接する他の垂下部から離隔させる離隔部材とを備えたことを特徴とする。
【０００８】
請求項２に記載の発明においては、請求項１に記載の発明において、前記ネットは、前記架設バーに対して二つ折り状に垂下されて一対の垂下部が形成されることを特徴とする。
【０００９】
請求項３に記載の発明においては、請求項１または２に記載の発明において、隣接する垂下部間に介在され、垂下部の揺動を抑制するための揺動抑制手段を設けたことを特徴とする。
【発明の効果】
【００１０】
従って、この発明においては、離隔部材により、垂下部が互いに離隔されるため、衣服用ハンガーはフックが干渉し合うことなく、多数、整然と吊下することができる。また、垂下部間に間隔が形成されて、その間隔内の衣服から垂下部が離れ、垂下部が衣服に擦れて衣服が損傷するようなことを有効に防止できる。
【００１１】
さらに、垂下部間に揺動抑制手段を設ければ、垂下部の揺動を抑制できて、衣服損傷を適切に防止できる。
【発明を実施するための最良の形態】
【００１２】
（第１の実施形態）
以下、本発明を具体化した第１の実施形態を図１〜図６の図面に基づいて説明する。この実施形態の衣服ハンガー吊下装置は、搬送コンテナに用いられるものである。
【００１３】
図１及び図２に示すように、コンテナ１０の筐体１１の内上部には、複数の架設バー１２が平行をなすように所定間隔で架設固定されている。各架設バー１２には、この第１の実施形態の衣服ハンガー吊下装置２１が支持されている。
【００１４】
そこで、前記衣服ハンガー吊下装置２１について詳述する。
ネット２２は、多数の網目が形成されるように、ポリエステルやナイロン等の合成樹脂製の紐材２４を縦横に配して構成され、使用状態においては、後述するように全体として二つ折り状に形成されて、一対の垂下部２５が形成される。垂下部２５の上端部間には、環状部２６が形成されている。この環状部２６は、垂下部２５の上端間を図２に示す縫糸２３等により縫い合わせる等して構成されている。そして、環状部２６が前記架設バー１２を抱持するように環状部２６を架設バー１２に取り付けることにより、ネット２２が架設バー１２に垂下されて、前述のように一対の垂下部２５が形成されている。図５に示すように、前記両垂下部２５の一方の側端間には揺動抑制手段としてのネットよりなる狭い幅の連結片２７が縫付け等により連結されている。
【００１５】
前記一方の垂下部２５の上端部と、隣接する他の衣服ハンガー吊下装置２１の環状部２６との間には、離隔部材３１が介在されている。図６に示すように、この離隔部材３１は、紐、チェーン、ワイヤ等の索条３２と、その索条３２の両端に連結されたフック３３とよりなり、フック３３は、図示しないバネの力で閉鎖方向に付勢された開放可能な閉鎖片３４を有している。そして、離隔部材３１の一方のフック３３が一方の垂下部２５の上端部に係留されるとともに、他方のフック３３が隣接する他の衣服ハンガー吊下装置２１の環状部２６に係留されることにより、その一方の垂下部２５が他方の垂下部２５から離隔される。この離隔状態では、図５に示す前記連結片２７がほぼ張設状態になる。なお、図２に示すように、外側に面する垂下部２５においては、離隔部材３１の一方のフック３３は、コンテナ筐体１１の内側のバー等に係留される。なお、この実施形態では、このコンテナ筐体１１の内側のバーや、前記環状部２６が掛け止め部になる。
【００１６】
さて、以上のように構成された衣服ハンガー吊下装置２１において衣服用ハンガー４１を吊下する場合には、図１及び図２に示すように、その衣服用ハンガー４１のフックを、衣服の幅や丈の長さに応じた適当な位置において垂下部２５のネット２２の目に吊下すればよい。このようにすれば、衣服を多数枚、整然と吊下することができる。すなわち、垂下部２５はネットにより形成されているため、所要のネット目を選んでそこに衣服用ハンガー４１を吊下すれば、衣服の幅や丈に応じて最大限の数の衣服を吊下できる。この場合、前述した従来の葡萄棚方式とは異なり、衣服の向きは一定であるため、衣服を整然と並べることができる。なお、図２においては、理解を容易にするために、ネット２２の厚さ及び衣服の膨らみ具合を誇張して描いてある。
【００１７】
しかも、図２から明らかなように、垂下部２５間が離隔部材３１により離隔されているため、垂下部２５間に間隔が形成されて、その間隔内の衣服から垂下部２５が離れ、垂下部２５が衣服に擦れて損傷するようなことを有効に防止できる。
【００１８】
さらに、図５から明らかなように、両垂下部２５間に連結片２７が介在されているため、両垂下部２５は相互に拘束し合う。このため、コンテナの搬送にともなう振動等が衣服ハンガー吊下装置２１に作用しても、垂下部２５はそれほど揺れ動くことはない。従って、衣服に対する擦過をさらに抑制することができて、衣服損傷を適切に防止できる。
【００１９】
衣服ハンガー吊下装置２１に衣服を吊下しないときには、図４から明らかなように、ネット２２を架設バー１２に沿って筐体１１の一側部に寄せて、紐等５１により結束すれば、衣服ハンガー吊下装置２１は邪魔になることはない。この場合、離隔部材３１をネット２２から外してもよく、外さなくてもよい。
【００２０】
以上に述べたこの実施形態の効果をまとめると以下の通りである。
（１）  衣服を多数枚、整然と吊下することができる。従って、衣服を高い収納効率で吊下できて、言い換えれば、所定の広さのコンテナ内や、倉庫内に多数枚の衣服を整然と収納できて、計数管理等も容易となり、物流コストを低減できる。
【００２１】
（２）  しかも、そのために、コンテナや倉庫の構造に改造を加えたわけではないため、設備費用は不要である。
（３）  さらに、衣服ハンガー吊下装置２１は、ネット２２と離隔部材３１とを設けただけであるから、その費用は安価である。
【００２２】
（４）  垂下部２５間に間隔が形成されて、その間隔内の衣服が位置するため、垂下部２５と衣服との擦過による衣服の損傷を有効に防止できる。
（５）  加えて、両垂下部２５間の連結片２７の作用により垂下部２５の揺れ動きが抑制される。従って、衣服に対する擦過をさらに抑制することができる。
【００２３】
（第２の実施形態）
次に、この発明の第２の実施形態を、前記第１の実施形態とは異なる部分を中心として図７〜図９に基づいて説明する。
【００２４】
この第２の実施形態においては、ネット２２、離隔部材３１等の構成は前記第１の実施形態と同構成である。この第２の実施形態では、衣服用ハンガー４１のネット２２からの外れを防止するための防止手段を新たに設けた点が異なる。すなわち、図７〜図９に示すように、ネット２２の垂下部２５における適当位置のネット目２２ａに対応して、紐材２４の対角線上に対向する交点には、リベット等の固定部材６１により、前記の外れを防止するための防止手段を構成する外れ防止片６０が固定されている。各外れ防止片６０は、その表裏両面に面ファスナ６０ａを有し、面ファスナ６０ａどうしを咬み合わせることにより、図８及び図９に示すように、外れ防止片６０がネット目２２ａの対角線上において連結状態になる。
【００２５】
このため、連結状態の外れ防止片６０により衣服用ハンガー４１のフックがネット目２２ａの部分から外れないように押さえられる。なお、前記フックがネット目２２ａから外れるには、同フックの先端が横方向に延びる紐材２４を乗り越えるまで上昇する必要があるため、その上昇や乗り越えが外れ防止片６０により抑制される。従って、この第２の実施形態においては、衣服ハンガー吊下装置２１の搬送時等、揺れによる衣服用ハンガー４１の落下、すなわち衣服の落下を有効に防止でき、衣服の損傷を少なくできる。なお、理解を容易にするために、図９においては、衣服用ハンガー４１を浮き上がらせた状態で描いた。また、１つのネット目２２ａに吊下される衣服用ハンガー４１の数は任意である。
【００２６】
さらに、図７から明らかなように、外れ防止片６０は、上下左右に複数のネット目２２ａごとに配置され、その間隔は、衣服の種類に応じて任意である。また、外れ防止片６０は、全体が目立つ色を有し、例えば、ネット２２とは異なる色を有し、衣服用ハンガー４１を吊下する位置を認識しやすくしている。加えて、外れ防止片６０の表裏両面に面ファスナ６０ａが設けられているため、外れ防止片６０どうしの連結作業をやりやすい。
【００２７】
（別の実施形態）
なお、この発明は、前記実施形態に限定されるものではなく、以下のような態様で具体化してもよい。
【００２８】
・  図９に２点鎖線で示すように、外れ防止片６０が相互の連結状態においてネット目２２ａの下部を横方向に横切るように配置すること。
・  図１０に示すように、垂下部２５間の連結片２７として、紐等の細片５２を一方の垂下部２５に設け、その細片５２の先端と、他方の垂下部２５とには互いに咬み合う面ファスナ５３，５４を設けること。
【００２９】
・  前記衣服ハンガー吊下装置２１を倉庫内において用いること。
・  連結片２７を垂下部２５の左右両端に設けること。
・  隣り合う垂下部２５の大きさ、垂下部２５に用いられる紐材２４等の太さを異ならせること。このようにすれば、隣り合う垂下部２５の固有振動数が異なるため、それらを連結片２７で連結すれば、垂下部２５が揺れ動きの振幅を小さくすることが可能になる。
【００３０】
次に、上記実施形態及び別例から把握できる技術的思想について、それらの効果とともに以下に追記する。
（ａ）  ネットの上端部に環状部を形成し、その環状部においてネットを架設バーに垂下できるようにした請求項１〜３のうちのいずれか一項に記載の衣服ハンガー垂下装置。
【００３１】
（ｂ）  前記揺動抑制手段を、索条と、その索条の両端に設けられたフックとにより構成した請求項３または前記（ａ）項に記載の衣服ハンガー垂下装置。
（ｃ）  ネットの目に、衣服用ハンガーの外れを防止するための外れ防止手段を設けた請求項１〜３、前記（ａ）、（ｂ）項うちのいずれか一項に記載の衣服ハンガー垂下装置。
【図面の簡単な説明】
【００３２】
【図１】第１の実施形態の衣服ハンガー吊下装置を設けたコンテナを示す正断面図。
【図２】同じく側断面図。
【図３】衣服ハンガー吊下装置を側部に寄せた状態を示す断面図。
【図４】ハンガー吊下装置の全体を示す斜視図。
【図５】連結片の部分を示す一部斜視図。
【図６】離隔部材を示す一部斜視図。
【図７】第２の実施形態の衣服用ハンガー吊下装置を示す一部斜視図。
【図８】同じく一部正面図。
【図９】同じく衣服用ハンガーの吊下状態を示す一部正面図。
【図１０】別の実施形態を示す一部斜視図。
【符号の説明】
【００３３】
１２…架設バー、２１…衣服ハンガー吊下装置、２２…ネット、２５…垂下部、２５ａ…垂下部、２５ｂ…垂下部、３１…離隔部材、４１…衣服用ハンガー。
【図１】
2006006486.tif 000003
【図２】
2006006486.tif 000004
【図３】
2006006486.tif 000005
【図４】
2006006486.tif 000006
【図５】
2006006486.tif 000007
【図６】
2006006486.tif 000008
【図７】
2006006486.tif 000009
【図８】
2006006486.tif 000010
【図９】
2006006486.tif 000011
【図１０】
2006006486.tif 000012